(57)【特許請求の範囲】
【請求項１】
所定方向に延在する帯状部と、この帯状部の延在方向に所定間隔を隔てて複数形成されて当該帯状部の一方の面から突出してストリングが通過する筒部とを備えたグロメットにおいて、
前記帯状部の他方の面であって前記筒部の内周に沿う部分には当該他方の面より膨らんだ形状の膨出部が形成され、当該膨出部で前記ストリングが折り返され、当該膨出部の頂部は球面に沿う曲面形状に形成され、
前記帯状部の他方の面であって隣り合う前記筒部の間に、前記帯状部の延在方向に所定間隔を隔てて複数形成されて前記ストリングが先端に接触する突出部を更に備えていることを特徴とするグロメット。
【請求項２】
前記帯状部には、前記筒部の内部に通じる開口が形成され、当該開口における前記帯状部の延出方向両側に前記膨出部がそれぞれ連なり、
前記膨出部は、前記帯状部の他方の面側から見たときに、前記帯状部の延出方向に直交する方向の幅が前記開口から離れるに従って次第に小さくなることを特徴とする請求項１に記載のグロメット。
【請求項３】
前記突出部は、接触する前記ストリングと交差する方向に延びる形状を備え、その延在方向に直交する断面が頂部に向かって細くなる突出形状に形成され、延在方向中間部がくびれる形状に形成されていることを特徴とする請求項１または請求項２に記載のグロメット。
【請求項４】
前記請求項１ないし請求項３の何れかに記載のグロメットと、前記ストリングが張設されて打球面を形成するフレームとを備えたラケットであって、
前記グロメットが前記フレームに装着され、張設された前記ストリングが前記膨出部で折り返されることを特徴とするラケット。
【請求項５】
前記膨出部は、前記フレームの中央領域において幅方向に延出する前記ストリングを折り返す部分に形成されていることを特徴とする請求項４に記載のラケット。
【請求項６】
前記膨出部には、前記ストリングが食い込んで張設されることを特徴とする請求項４または請求項５に記載のラケット。
【発明の詳細な説明】
【技術分野】
【０００１】
本発明は、ラケットのフレームに装着されてストリングとフレームとの接触を回避することができるグロメット及びラケットに関する。
【背景技術】
【０００２】
テニスやバドミントンのラケットにおいては、ループ状に形成されたフレームにストリングが張り渡されている。フレームには、ストリングが挿通される挿通孔が所定の間隔を隔てて多数形成され、これら挿通孔にはグロメットが装着されている。
【０００３】
グロメットとしては、例えば、特許文献１に開示されるように、挿通孔に挿入される複数の筒部と、これら筒部が裏面で連なる帯状部とを備えたものが利用されている。フレームにストリングを張り渡した状態では、フレームの内側から筒部内を通ってフレームの外側に出されたストリングが帯状部の表面に沿って折り返されて次の筒部内に通される。つまり、ストリングは、帯状部の表面（外面）において筒部に連通する開口位置で折り返されるようになる。
【先行技術文献】
【特許文献】
【０００４】
【特許文献１】特開２００５−２３７８７７号公報
【発明の概要】
【発明が解決しようとする課題】
【０００５】
しかしながら、特許文献１のグロメットにあっては、隣り合う筒部間における帯状部の表面が平滑な面によって形成される。このため、グロメットにおけるストリングの折り返し部分がストリングの張力によって凹むように潰れると、ストリングとグロメットとの接触領域がフレームの内側に向かって拡大される。この拡大した分、打球時においてストリングが撓み変形する長さが短くなり、打球した際のボールの反発性が低下する、という問題がある。
【０００６】
本発明は、以上のような実情に鑑みてなされたもので、打球時のボールの反発性能を高めることができるグロメット及びラケットを提供することを目的とする。
【課題を解決するための手段】
【０００７】
本発明のグロメットは、所定方向に延在する帯状部と、この帯状部の延在方向に所定間隔を隔てて複数形成されて当該帯状部の一方の面から突出してストリングが通過する筒部とを備えたグロメットにおいて、前記帯状部の他方の面であって前記筒部の内周に沿う部分には当該他方の面より膨らんだ形状の膨出部が形成され、当該膨出部で前記ストリングが折り返され、当該膨出部の頂部は球面に沿う曲面形状に形成され、前記帯状部の他方の面であって隣り合う前記筒部の間に、前記帯状部の延在方向に所定間隔を隔てて複数形成されて前記ストリングが先端に接触する突出部を更に備えていることを特徴とする。
【０００８】
この構成によれば、ストリングの折り返し部分に膨出部を形成したので、その分ストリングの折り返し位置をフレームの外方に位置させることができる。これにより、膨出部が凹んでも、膨出部を形成しない従来構造に比べ、打球時に撓み変形し得るストリング長さを長くすることができる。この結果、ストリングの打球方向の撓み量も大きくなり、打球した際のボールの反発性を高め、ボールの飛び性能向上を図ることができる。また、突出部の先端にストリングを接触或いは食い込ませることができる。これにより、ストリングと突出部との間に摩擦を生じさせて、打球時に加わる力によって帯状部の外側に位置するストリングの動きを規制することができる。この動きを規制した分、ボールの打球によって加わった力を効率良く反発力に変換でき、更に、ストリングによって形成される打球面の面圧を高めてスピン性能を高めることができる。更に、ストリングと突出部との間の摩擦力をより大きくすることができ、反発性能及びスピン性能をより一層高めることができる。
【０００９】
また、本発明のグロメットにおいて、前記帯状部には、前記筒部の内部に通じる開口が形成され、当該開口における前記帯状部の延出方向両側に前記膨出部がそれぞれ連なり、前記膨出部は、前記帯状部の他方の面側から見たときに、前記帯状部の延出方向に直交する方向の幅が前記開口から離れるに従って次第に小さくなるとよい。
【００１１】
また、本発明のグロメットにおいて、前記突出部は、接触する前記ストリングと交差する方向に延びる形状を備え、その延在方向に直交する断面が頂部に向かって細くなる突出形状に形成され、延在方向中間部がくびれる形状に形成されているとよい。この構成によれば、種々の太さのストリングに対応できる上、突出部の先端にストリングを食い込ませ易くなり、それらの摩擦力向上に寄与することができる。
【００１２】
本発明のラケットは、前記グロメットと、前記ストリングが張設されて打球面を形成するフレームとを備えたラケットであって、前記グロメットが前記フレームに装着され、張設された前記ストリングが前記膨出部で折り返されることを特徴とする。
【００１３】
また、本発明のラケットにおいて、前記膨出部は、前記フレームの中央領域において幅方向に延出する前記ストリングを折り返す部分に形成されているとよい。この構成によれば、いわゆるスイートスポットのストリングについて効果的に反発性を高めることができる。また、本発明のラケットにおいて、前記膨出部には、前記ストリングが食い込んで張設されるとよい。
【発明の効果】
【００１４】
本発明によれば、ストリングの折り返し部分に膨出部を形成したので、打球時のボールの反発性能を高めることができる。
【図面の簡単な説明】
【００１５】
【図１】実施の形態に係るラケットの外観図であり、図１Ａは、前記ラケットの正面図、図１Ｂは、前記ラケットの側面図である。
【図２】グロメットを一部断面視した概略斜視図である。
【図３】フレーム及びグロメットを左右方向に切断した断面図である。
【図４】グロメットによるストリングの折り返し状態の比較用説明図である。
【図５】グロメットでのストリングの有効長を比較説明するための模式図である。
【図６】グロメットの潰れ状態の比較用説明図である。
【図７】実施例１〜３及び比較構造の弾道測定結果を示す図である。
【発明を実施するための形態】
【００１６】
以下、本発明の実施の形態について図面を参照しながら具体的に説明する。なお、以下においては、本発明に係るグロメットを硬式テニス用のラケットに適用した例について説明するが、適用対象はこれに限定されることなく変更可能である。例えば、軟式テニス用のテニスラケットや、スカッシュ用のラケット、バドミントン用のラケットなどに適用してもよい。
【００１７】
図１は、本発明の実施の形態に係るラケットの外観図であり、図１Ａは、前記ラケットの正面図、図１Ｂは、前記ラケットの側面図である。なお、以下の各図では、説明の便宜上、一部の構成を省略している。
【００１８】
図１に示すように、ラケット１０は、ボールを打つ部位であるヘッド１１と、プレーヤがラケット１０を把持する部位であるグリップ１２と、ヘッド１１とグリップ１２とを一体に連結するシャフト１３とを備えている。なお、以下の説明において、図１中矢印にて示すように、ラケット１０の長手方向のうちヘッド１１が位置する側を先端側とし、グリップ１２が位置する側を後端側とする。また、ラケット１０の打球面上において（即ち打球面に沿う平面上において）長手方向に直交する方向を幅方向（あるいは、左右方向）とし、ラケット１０の打球面に直交する方向を厚さ方向（あるいは、前後方向）とする。
【００１９】
シャフト１３は、前後方向から見て、グリップ１２からヘッド１１に向かって二股に分岐するスロート１５を備え、左右のスロート１５の間にはヘッド１１の一部を形成するヨーク１７が形成されている。なお、シャフト１３は、これに限らず、二股に分岐していないものとしてもよい。
【００２０】
ヘッド１１は、上下方向に長い楕円形状のフレーム２０と、フレーム２０の内側に張設されたストリング２１とを備え、フレーム２０の内側に打球面（フェース）を形成する。フレーム２０は、例えば繊維強化樹脂等からなる中空の筒状体を楕円形状に成形したものである。なお、フレーム２０は中空とせずに内部に発泡材を充填したり、木製或いは金属製としたりしてもよい。
【００２１】
フレーム２０の外周面２０ａには、厚さ方向における中央部が両側部に比べて凹んだ溝部２０ｂが設けられている。溝部２０ｂは、フレーム２０の周方向に沿って連続して設けられている。また、フレーム２０には、挿通孔２３が設けられ、かかる挿通孔２３は、フレーム２０の溝部２０ｂの底側から内周面２０ｃまで貫通して形成されている。挿通孔２３は、フレーム２０の周方向に沿って複数設けられている。
【００２２】
フレーム２０には、その外周側から４体のグロメット２５〜２８が装着され、これらグロメット２５〜２８を介してストリング２１がフレーム２０に張設される。本実施の形態では、先端側のグロメット２５は、図１Ａのフレーム２０の正面視にて、約１０時方向の個所から約２時方向の個所に亘って設けられ、フレーム２０のトップ２０Ａ側を保護している。左右のグロメット２６、２７は、先端側のグロメット２５の左右両端近傍からフレーム２０の左右の側面に形成された最下位の挿通孔２３に達する位置に亘って設けられている。また、後端側のグロメット２８は、ヨーク１７に設けられている。なお、後端側のグロメット２８を除く各グロメット２５〜２７は、各種条件に応じ、フレーム２０の周方向に沿う長さを変えてもよい。
【００２３】
続いて、左側のグロメット２６の具体的な構成について説明する。グロメット２６は、所定方向としてフレーム２０の周方向に延在する帯状部３１と、この帯状部３１の一方の面となる裏面から突出する複数の筒部３２とを備えている。帯状部３１の前後幅は、フレーム２０の前後幅より小さく設定されている。また、筒部３２は、帯状部３１の延在方向に所定間隔を隔てて複数形成されている。
【００２４】
図２は、グロメットを一部断面視した概略斜視図である。図３は、グロメットを左右方向に切断した断面図である。図２及び図３に示すように、帯状部３１は、底面部３４と、この底面部３４の前後両側に連なる側面部３５とを備えている。底面部３４は、フレーム２０における溝部２０ｂ（図１Ｂ参照）の底側に面接触するよう配置される。各側面部３５は、溝部２０ｂの側面とフレーム２０の外周面２０ａ（図１Ｂ参照）の一部に面接触するよう配置される。底面部３４と２つの側面部３５とは、溝部２０ｂの内部に嵌め込まれるようになる。底面部３４の面内には、筒部３２の内部に通じる開口３４ａが形成されている。
【００２５】
筒部３２は、帯状部３１側が基部とされ、基部と反対側の先端部がフレーム２０の外側から挿通孔２３（図１Ａ参照）に挿通される。この挿通によってグロメット２６がフレーム２０に装着され、この状態で、筒部３２の先端側は、フレーム２０の内周面２０ｃ側から内方に突出するように配設される（図１Ａ参照）。
【００２６】
帯状部３１の他方の面となる底面部３４の表面には、膨出部４１及び突出部４２が形成されている。膨出部４１は、開口３４ａに沿う部分に形成されて底面部３４の表面から膨らんだ形状を有し、頂部が概略球面に沿う曲面形状に形成されている。開口３４ａ周りにおいて膨出部４１が形成された部分は他の部分に比べて肉厚となるように形成される。
【００２７】
膨出部４１は、各開口３４ａにおける帯状部３１の延出方向両側にそれぞれ連なり、言い換えると、複数の筒部３２それぞれに一対ずつ形成されている。膨出部４１は、帯状部３１の表面側から見たときに、開口３４ａから離れるに従って次第に厚さ方向（図３中紙面直交方向）の幅が小さくなる形状に形成されている。従って、膨出部４１は、開口３４ａから帯状部３１の延出方向所定幅に形成され、本実施の形態では、当該幅が筒部３２の内径の３倍より小さく形成されている。これにより、膨出部４１は、隣り合う筒部３２間に形成された膨出部４１同士は大きく離れており、それら膨出部４１の間では、突出部４２の形成位置を除いて底面部３４が一定の厚さに形成される。
【００２８】
突出部４２は、帯状部３１の延在方向で隣り合う筒部３２の間に、当該延在方向に所定間隔を隔てて３つずつ形成されている。言い換えると、帯状部３１の延在方向で３つ並んだ突出部４２の同方向両側に、所定間隔を隔てて膨出部４１が形成されている。突出部４２は、底面部３４の表面からリブ状となって突出する形状を有している。突出部４２は、後述のように接触するストリング２１の延在方向と交差する方向（図３中紙面直交方向）に延びる形状を備えている。突出部４２は、その延在方向中間部がくびれるような形状となり、また、突出形状が頂部（図３中上部）に向かって細くなるように形成されている。
【００２９】
図１のようにフレーム２０にストリング２１を張設する場合、図３に示すように、グロメット２６の筒部３２を先端（図３中下端）側から通過して帯状部３１の表面側に出たストリング２１が、当該筒部３２に沿う膨出部４１で折り返される。この折り返しによって、帯状部３１の表面に沿って位置するストリング２１が、隣の筒部３２に沿う膨出部４１で折り返され、当該筒部３２の先端側から抜け出るようになる。つまり、ストリング２１の各折り返し位置には膨出部４１がそれぞれ位置するようになり、ストリング２１に張力が加わった状態では、膨出部４１にストリング２１が食い込むようになる。また、各突出部４１の先端においても、ストリング２１が食い込む或いは接触するようになり、各突出部４１によってストリング２１がその延在方向に変位又は変形することに摩擦抵抗を生じるようになる。
【００３０】
なお、上記では、左側のグロメット２６について説明したが、図１に示す右側のグロメット２７についてもフレーム２０に装着する位置が異なる点以外は同様の構造とされる。また、図１に示す先端側のグロメット２５は、フレーム２０への装着位置が異なる点及び帯状部３１の幅が異なる点以外は同様の構造とされる。先端側のグロメット２５の帯状部３１は、フレーム２０と前後方向の幅が略同じに形成されてフレーム２０を保護する機能を有する。
【００３１】
次に、本実施の形態に係るグロメット２６の反発性能向上効果について、説明する。図４Ａは、本実施の形態に係るグロメットによるストリングの折り返し状態の説明図であり、図４Ｂは、比較構造に係るグロメットによるストリングの折り返し状態の説明図である。
【００３２】
図４Ａの黒塗り部分にて示すように、本実施の形態に係るグロメット２６においては、膨出部４１周りでストリング２１が食い込んで潰れることとなる。具体的には、膨出部４１の頂部から開口３４ａ付近に亘る範囲Ｒ１でストリング２１が食い込んでグロメット２６が潰れる。
【００３３】
図４Ｂの比較構造に係るグロメット５０は、実施の形態に係るグロメット２６に対し、膨出部及び突出部を形成しない点を除き共通の構成を備える。すなわち、比較構造に係るグロメット５０は、帯状部５１における開口５４ａ周りにおいても、底面部５４の厚さが均一となり、底面部５４の表面が平滑面によって形成される。
【００３４】
図４Ｂの黒塗り部分にて示すように、比較構造に係るグロメット５０において、開口５４ａ周辺でストリング２１が食い込んで潰れることとなる。具体的には、底面部５４の表面から筒部５２の先端側（図４Ｂ中下側）に亘る範囲Ｒ２でストリング２１が食い込む。
【００３５】
一般に、ストリング２１にあっては、ボールを打撃した際に加わる力によって撓み変形し、この撓み変形が復元する力がボールの飛び性能となる反発性能に影響を及ぼす。図１に示すように、撓み変形するストリング２１の長さは、横糸の場合、フレーム２０において対向配置されたグロメット２６、２７間に張設される長さである。より具体的には、上述のように食い込んだ分では殆ど撓み変形しないので、左右のグロメット２６、２７において、ストリング２１が食い込んだ部分を結ぶ長さとなる。この長さを以下において、「有効長」とする。ストリング２１にあっては、有効長が長くなると、撓み変形量が大きくなり、いわゆるトランポリン効果によって反発性能が向上する。
【００３６】
図５Ａは、本実施の形態に係るグロメットでのストリングの有効長を説明するための模式図であり、図５Ｂは、比較構造に係るグロメットでのストリングの有効長を説明するための模式図である。ストリング２１の有効長について本実施の形態と比較構造とを比較すると、図５Ａに示すように、本実施の形態のストリング２１の有効長Ｌ１は、各グロメット２６、２７におけるストリング２１が食い込んだ範囲Ｒ１の最内方端を結ぶ長さとなる。同様にして、図５Ｂに示すように、比較構造のストリング２１の有効長Ｌ２は、各グロメット５０、５０におけるストリング２１が食い込んだ範囲Ｒ２の最内方端を結ぶ長さとなる。
【００３７】
図４Ａ及び図４Ｂの比較において、各範囲Ｒ１、Ｒ２の最内方端（同図中下端）は、比較構造に比べて本実施の形態の方が外側（同図中上側）に位置することが図示にて明らかとなる。つまり、本実施の形態は、膨出部４１を形成することによって、ストリング２１が食い込む範囲Ｒ１を外方に位置させることができる。この結果、図５Ａ及び図５Ｂに示すように、比較構造の有効長Ｌ２に比べて本実施の形態の有効長Ｌ１の方が長くなり、具体的には、比較構造の有効長Ｌ２を１００％としたときに、本実施の形態の有効長Ｌ１が１０２．７％となる。このように、有効長Ｌ１が長くなった分、グロメット２６、２７によるボールの反発性能を向上させることができる。
【００３８】
図６Ａは、本実施の形態に係るグロメットの潰れ状態の説明図であり、図６Ｂは、比較構造に係るグロメットの潰れ状態の説明図である。図６Ａ及び図６Ｂは、帯状部３１、５１の表面を直交する方向から見た状態であり、ポリエステル製のストリングを６０ｌｂｓの張力で張り上げた後、当該ストリングを取り外した状態を写真に基づき図示したものである。図６Ａに示すように、本実施の形態では、帯状部３１の延在方向で隣り合う筒部３２の間において、ストリングの折り返し位置となる２つの膨出部４１に潰れが生じている。更に、３つの突出部４２において、その延在方向（図中上下方向）中間部において、潰れが生じている。これにより、本実施の形態では、張設したストリングが２つの膨出部４１に食い込むだけでなく、３つの突出部４２それぞれに食い込んでいたことが理解できる。
【００３９】
図６Ｂに示すように、比較構造では、隣り合う筒部５２の間において、開口５４ａを含む領域に潰れが生じている。この潰れは、隣り合う筒部５２の中間に向かって延びているが、当該中間で潰れが生じていない。これにより、比較構造では、張設されたストリングが筒部５２間でアーチ状となって中間部が帯状部５１から離れたり僅かな接触となっていたりすると理解できる。
【００４０】
以上のように、比較構造に比べて本実施の形態は、２つの膨出部４１と３つの突出部４２とがストリングに密着し、ストリングに密着する箇所を増やすことができる。従って、本実施の形態の方が、帯状部３１の表面側におけるストリングとの摩擦抵抗を大きくすることができる。これにより、打球時に加わる力によってストリングがフレーム２０（図１参照）の内側に引っ張られても、２つの膨出部４１（開口部３４ａ）の間でのストリングの動きを抑えることができる。この動きを抑えた分のエネルギーロスをなくすことができるので、ボールの打球によって加わった力を効率良く反発力に変換でき、打球した際のボールの反発性を高め、ボールの飛び性能を向上することができる。しかも、ストリングによって形成される打球面の面圧が高まるので、より強い張力を維持してボールを潰すようにしてボールに回転を掛けることができ、スピン性能を高めることができる。
【００４１】
また、本実施の形態の膨出部４１での最大潰れ量と、比較構造の開口５４ａ周りでの最大潰れ量を測定して比較すると、本実施の形態の最大潰れ量を１００としたときに、比較構造の最大潰れ量は、約１２７となった。従って、比較構造に比べて本実施の形態の方が、ストリングからグロメットに加わる負荷について約２７％軽減することができる。
【００４２】
続いて、本実施の形態に係るグロメットについての弾道を評価するために行った実験について説明する。実験では、実施例１〜３のグロメットを備えたラケット、上記比較構造のグロメットを備えたラケットを用意した。ラケットは、グロメットを変更した以外は、同一条件とした。実施例１のグロメットは、上記実施の形態にて説明した構造とした。実施例２のグロメットは、上記実施の形態に対し、膨出部を同様に形成し、突出部を削り取って当該突出部の形成領域を底面部表面に対して平滑となる面に形成した。実施例３のグロメットは、上記実施の形態に対し、突出部を同様に形成し、膨出部を削り取って当該膨出部の形成領域を底面部表面に対して平滑となる面に形成した。比較構造のグロメットは、図４Ｂにおいて説明した構造とし、上記実施の形態に対し、膨出部及び突出部を削り取った構成とした。
【００４３】
実施例１〜３及び比較構造のラケットにおいて、テニスコートで複数人のテスターがストロークによって複数回打球した。打球されたボールをテニス版トラックマン（ボール弾道測定機）にて、ボールスピード、スピン量、弾道を測定し平均値を算出した。下記表１では、実施例１〜３のボールスピード及びスピン量について、比較構造の測定値を１００としたときの相対値を示す。図７では、実施例１〜３及び比較構造の弾道測定結果を示す。
【００４４】
【表１】
0006716244.tif 000002
【００４５】
実施例１では、図７に示すように、比較構造に比べ、高い弾道となり飛距離が若干長くなった。また、表１に示すように、比較構造に比べてボールスピード及びスピン量共に、性能向上が図られた。このように、実施例１のグロメットは膨出部及び突出部を有するので、ストリングの有効長を長くして反発性能を高めると同時に、ストリングとグロメット表面との摩擦力を高めて面圧が上昇し、スピン性能も高めることができた。よって、比較構造に比べ、打球によってネットの高い位置にボールを通しつつ、同様の飛距離となる弾道が得られた。
【００４６】
実施例２では、図７に示すように、比較構造に比べ、高い弾道となり飛距離が長くなった。また、表１に示すように、比較構造に比べてボールスピードの性能向上が図られ、スピン量は若干少なくなった。このように、実施例２のグロメットは膨出部を有するので、ストリングの有効長を長くして反発性能を高めることができた。よって、比較構造に比べ、打球によってネットの高い位置にボールを通しつつ、飛距離が長くなる弾道が得られた。
【００４７】
実施例３では、図７に示すように、比較構造に比べ、同様の高さで飛距離が短くなる弾道となった。また、表１に示すように、比較構造に比べてボールスピード及びスピン量共に、性能向上が図られた。このように、実施例３のグロメットは突出部を有するので、ストリングとグロメット表面との摩擦力を向上して面圧が上昇し、スピン性能を高めることができた。よって、比較構造に比べ、打球によってネットを通過する高さ位置を同様としつつ、飛距離が短くなる弾道が得られた。
【００４８】
なお、本発明は上記実施の形態に限定されず、種々変更して実施することが可能である。上記実施の形態において、添付図面に図示されている大きさや形状、方向などについては、これに限定されず、本発明の効果を発揮する範囲内で適宜変更することが可能である。その他、本発明の目的の範囲を逸脱しない限りにおいて適宜変更して実施することが可能である。
【００４９】
例えば、膨出部４１及び突出部４２は、各グロメット２５〜２８の延在方向全ての領域に設けてもよいし、一部の領域に設けてもよい。例としては、図１に示すように、グロメット２５〜２７において、フレーム２０の中央領域となるスイートスポットで幅方向に延出するストリング２１、つまり、領域Ｓ内の横糸となるストリング２１を折り返す部分だけに膨出部４１及び突出部４２を形成してもよい。この場合には、打球の飛び性能とスピン量に特に影響を及ぼす部分のストリング２１について、それらの性能向上を効果的に図ることができる。なお、スイートスポットとは、打球時に、グリップ１２を握った手に伝わる衝撃が最も小さくなる領域である。
【００５０】
また、隣り合う筒部３２間の突出部４２の形成数は、１つとしたり、２つや４つ以上の複数としたりしてもよい。
【００５１】
また、上記のような性能を得られる限りにおいて、上記実施例２のように突出部４２の形成を省略したり、上記実施例３のように膨出部４１の形成を省略したりしてもよい。
【００５２】
また、突出部４２は、ストリング２１に接触し得る限りにおいて種々の形状変更が可能であり、リブ状に代えて平面形状が円形や方形となる突起状としたり、先端が柱状となる形状に変更したりしてもよい。
【００５３】
また、膨出部４１にあっても、上記実施の形態と同様の性能を発揮する限り、他の形状に変更してもよい。
【００５４】
また、グロメット２６、２７における帯状部３１及び筒部３２の形状は、図示構成例に限られず、フレーム２０の形状等に応じて変更してもよい。
【産業上の利用可能性】
【００５５】
本発明は、ラケットのフレームに装着されるグロメット、このグロメットが装着されるラケットであり、打球時のボールの反発性能を高めることができるという効果を有する。
【符号の説明】
【００５６】
１０  ラケット
２０  フレーム
２１  ストリング
２５〜２８  グロメット
３１  帯状部
３２  筒部
４１  膨出部
４２  突出部
【図１】
0006716244.tif 000003
【図２】
0006716244.tif 000004
【図３】
0006716244.tif 000005
【図４】
0006716244.tif 000006
【図５】
0006716244.tif 000007
【図６】
0006716244.tif 000008
【図７】
0006716244.tif 000009